(57)【要約】【課題】透過率の低下を抑制しつつグラデーション光を放射することができる照明部材等を提供する。【解決手段】照明部材１０は、透光性を有する樹脂材料によって構成された板状の樹脂体１１と、樹脂体１１に含まれる複数のナノ粒子１２とを備え、樹脂体１１は、光が入射する光入射面である端面１１ａと、光入射面から入射した光が出射する光出射面とを有する。【選択図】図３
2020177848.tif 000002
【特許請求の範囲】
【請求項１】
透光性を有する樹脂材料によって構成された板状の樹脂体と、
前記樹脂体に含まれる複数のナノ粒子とを備え、
前記樹脂体は、光が入射する光入射面である端面と、前記光入射面から入射した光が出射する光出射面とを有する、
照明部材。
【請求項２】
前記複数のナノ粒子は、前記樹脂体に分散している、
請求項１に記載の照明部材。
【請求項３】
前記複数のナノ粒子は、濃度分布を有するように分散している、
請求項２に記載の照明部材。
【請求項４】
前記光入射面となる端面から離れるほど前記複数のナノ粒子の濃度が高くなっている、
請求項３に記載の照明部材。 
【請求項５】
前記複数のナノ粒子は、複数のコロイド結晶として前記樹脂体に含まれる、
請求項１乃至請求項４のいずれか１項に記載の照明部材。
【請求項６】
前記複数のコロイド結晶の少なくとも一つは、単結晶体である、
請求項５に記載の照明部材。
【請求項７】
前記複数のナノ粒子の少なくとも一つは、蛍光体である、
請求項１乃至請求項６のいずれか１項に記載の照明部材。
【請求項８】
前記樹脂材料は、熱可塑性樹脂である、
請求項１乃至請求項７のいずれか１項に記載の照明部材。
【請求項９】
前記ナノ粒子は、前記光入射面から入射した光を散乱させる散乱粒子である、
請求項１乃至請求項８のいずれか１項に記載の照明部材。
【請求項１０】
前記散乱粒子は、前記樹脂材料の屈折率と異なる屈折率を有する透光性粒子である、
請求項９に記載の照明部材。
【請求項１１】
前記散乱粒子は、反射粒子である、
請求項９に記載の照明部材。
【請求項１２】
照明部材と、
前記照明部材に光を供給する光供給源とを備え、
前記照明部材は、
透光性を有する樹脂材料からなる板状の樹脂体と、
前記樹脂体に含まれる複数のナノ粒子とを備え、
前記樹脂体は、前記光供給源からの光が一次光として入射する光入射面である端面と、前記光入射面から入射した光が出射する光出射面とを有する、
照明システム。
【請求項１３】
前記光供給源は、人工光を放射する、
請求項１２に記載の照明システム。
【請求項１４】
前記光供給源は、自然光を放射する、
請求項１２に記載の照明システム。
【発明の詳細な説明】
【技術分野】
【０００１】
本発明は、照明部材及び照明システムに関する。
【背景技術】
【０００２】
従来より、空間演出を行うことができる照明システムが知られている。近年、この種の照明システムとして、色の変化が付いた光を放射することで空間演出を行う空間演出システムが検討されている。中でも、色が連続的に変化するグラデーション光を放射することができる照明システムが着目されている。
【０００３】
例えば、特許文献１には、点灯時に色の変化が付いた発光面を得ることができる導光板を用いた照明装置が開示されている。特許文献１に開示された導光板は、可視光の一部を吸収する光吸収剤が分散された透光性樹脂からなる塗膜が透明基板の表面に形成された構成になっている。この構成により、導光板の端面から光を入射させることで、導光板に直接グラデーション等の模様を付与しなくても色の変化が付いた光を導光板から放射させることができる。
【先行技術文献】
【特許文献】
【０００４】
【特許文献１】特開２０１８−０８８３４７号公報
【発明の概要】
【発明が解決しようとする課題】
【０００５】
しかしながら、特許文献１に開示された導光板は、導光板から照射される光の色を可視光の一部を吸収することによって変化させているので透過率が低下するという課題がある。
【０００６】
本発明は、このような課題を解決するためになされたものであり、透過率の低下を抑制しつつグラデーション光を放射することができる照明部材及び照明システムを提供することを目的とする。
【課題を解決するための手段】
【０００７】
本発明に係る照明部材の一態様は、透光性を有する樹脂材料によって構成された板状の樹脂体と、前記樹脂体に含まれる複数のナノ粒子とを備え、前記樹脂体は、光が入射する光入射面である端面と、前記光入射面から入射した光が出射する光出射面とを有する。
【０００８】
本発明に係る照明システムの一態様は、照明部材と、前記照明部材に光を供給する光供給源とを備え、前記照明部材は、透光性を有する樹脂材料からなる板状の樹脂体と、前記樹脂体に含まれる複数のナノ粒子とを備え、前記樹脂体は、前記光供給源からの光が一次光として入射する光入射面である端面と、前記光入射面から入射した光が出射する光出射面とを有する。
【発明の効果】
【０００９】
透過率の低下を抑制しつつグラデーション光を放射することができる照明部材及び照明システムを実現できる。
【図面の簡単な説明】
【００１０】
【図１】実施の形態１に係る照明システムの構成を示す図である。
【図２】実施の形態１に係る照明システムの断面図である。
【図３】実施の形態１に係る照明システムにおいて、照明部材に光が入射したときの状態を示す斜視図である。
【図４】実施の形態１に係る照明システムにおいて、照明部材に光が入射したときの状態を示す断面図である。
【図５】実施の形態２に係る照明システムの構成を示す図である。
【図６】実施の形態３に係る照明システムの構成を示す図である。
【発明を実施するための形態】
【００１１】
以下、本発明の実施の形態について、図面を参照しながら説明する。なお、以下に説明する実施の形態は、いずれも本発明の一具体例を示すものである。したがって、以下の実施の形態で示される、数値、形状、材料、構成要素、構成要素の配置位置及び接続形態等は、一例であって本発明を限定する主旨ではない。よって、以下の実施の形態における構成要素のうち独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付し、重複する説明は省略又は簡略化される場合がある。
【００１３】
（実施の形態１）
まず、実施の形態１に係る照明システム１について、図１及び図２を用いて説明する。図１は、実施の形態１に係る照明システム１の構成を示す図である。図２は、同照明システム１の断面図である。
【００１４】
図１及び図２に示すように、照明システム１は、照明部材１０と、光源ユニット２０とを備えており、色が連続的に変化するグラデーション光を放射することができるように構成されている。つまり、照明システム１は、照明光としてカラーグラデーションを持つ光を放つことができる。照明システム１は、例えば、照明部材１０と光源ユニット２０とが筐体等の本体に配置された照明装置として実現することができるが、これに限らない。
【００１５】
照明部材１０は、板状の樹脂体１１と、樹脂体１１に含まれる複数のナノ粒子１２とを備える。具体的には、照明部材１０は、樹脂体１１の中に複数のナノ粒子１２が含まれる複合体である。
【００１６】
樹脂体１１は、透光性を有する樹脂材料によって構成されている。一例として、樹脂体１１は、可視光に対して透明なポリマー材料によって構成されている。また、樹脂体１１を構成する樹脂材料は、熱可塑性樹脂及び熱硬化性樹脂のいずれであってもよいが、熱可塑性樹脂である方がよい。樹脂体１１を構成する樹脂材料として熱可塑性樹脂を用いることで、成形性及び加工性に優れた照明部材１０を実現することができる。このような樹脂体１１を構成する樹脂材料としては、例えば、アクリル樹脂、ポリカーボネート樹脂、シリコーン樹脂又はエポキシ樹脂等を用いることができる。本実施の形態において、樹脂体１１を構成する樹脂材料は、透明なアクリル樹脂である。
【００１７】
樹脂体１１は、板状の板体である。本実施の形態において、樹脂体１１は、平面視形状が矩形の平板である。なお、樹脂体１１の平面視形状は、矩形に限るものではなく、矩形以外の多角形であってもよいし、円形等であってもよい。また、樹脂体１１は、平板に限るものではなく、湾曲面を有する湾曲板であってもよい。
【００１８】
樹脂体１１は、光が入射する光入射面と、光入射面から入射した光が出射する光出射面とを有する。具体的には、樹脂体１１は、板状であるので、側面である端面１１ａと、板面となる主面１１ｂとを有しており、樹脂体１１の端面１１ａが光入射面になっている。本実施の形態において、樹脂体１１は、矩形の板状であるので、矩形の４辺に対応する４つの端面１１ａと、互いに背向する２つの主面１１ｂとを有しており、４つの端面１１ａの一つが光入射面となる。具体的には、４つの端面１１ａのうち光源ユニット２０に対向する端面１１ａが光入射面となる。この場合、４つの端面１１ａのうちの残りの３つの端面１１ａと２つの主面１１ｂとが光出射面となりうる。なお、３つの端面１１ａと２つの主面１１ｂとのうち、光出射面は、主に２つの主面１１ｂの一方又は両方となる。また、樹脂体１１の光入射面及び光出射面は、照明部材１０の光入射面及び光出射面である。
【００１９】
以上のように構成される照明部材１０では、樹脂体１１に複数のナノ粒子１２が含まれているので、図３及び図４に示すように、端面１１ａから光が入射したときに、ナノ粒子１２のレイリー散乱現象によって樹脂体１１の主面１１ｂからグラデーション光が放射される。つまり、樹脂体１１の端面１１ａから光を入射させることで、光出射面となる樹脂体１１の主面１１ｂにカラーグラデーションが付与された照明部材１０を得ることができる。このように、ナノ粒子１２のレイリー散乱現象を用いて入射光とは異なる色調の出射光を放射させることで、樹脂体１１を着色することなく自然なカラーグラデーションを持つ光を放つことができる照明部材１０を実現できる。
【００２０】
また、本実施の形態に係る照明部材１０は、可視光の一部を吸収する光吸収剤を用いた特許文献１に開示された導光板とは異なり、可視光の一部を吸収する光吸収剤を用いることなく、色の変化が付いた光を放射することができる。したがって、透過率の低下を抑制しつつグラデーション光を放射することができる照明部材１０を実現できる。
【００２１】
また、本実施の形態において、複数のナノ粒子１２は、樹脂体１１に分散している。具体的には、複数のナノ粒子１２は、樹脂体１１の全体にわたって均一に分散している。これにより、高い透過率で照明部材１０からグラデーション光を放射させることができる。
【００２２】
また、本実施の形態において、複数のナノ粒子１２は、照明部材１０の光入射面（樹脂体１１の端面１１ａ）から入射した光を散乱させる散乱粒子である。散乱粒子であるナノ粒子１２としては、例えば、金属酸化物によって構成された金属酸化物粒子を用いることができる。この場合、金属酸化物粒子であるナノ粒子１２は、光を透光する透光性粒子であってもよいし、光を反射する反射粒子であってもよい。これにより、透過率をほぼ低下させることなくグラデーション光を放射することができる照明部材１０を実現できる。
【００２３】
ナノ粒子１２として透光性粒子を用いる場合、ナノ粒子１２は、樹脂体１１を構成する樹脂材料の屈折率と異なる屈折率を有する透光性粒子であるとよい。透光性粒子であるナノ粒子１２としては、例えば、ＳｉＯ２からなるＳｉＯ２ナノ粒子等の無機粒子を用いてもよいし、ポリスチレン粒子又はアクリル粒子等のポリマー粒子を用いてもよい。また、ナノ粒子１２として反射粒子を用いる場合、ナノ粒子１２としては、酸化チタン（ＴｉＯ２）からなる酸化チタン粒子（チタニア粒子）等の白色粒子を用いることができる。なお、金属酸化物粒子を構成する金属酸化物としては、ＳｉＯ２及びＴｉＯ２に限るものではなく、ＺｎＯ、ＺｒＯ２、Ｆｅ２Ｏ３、Ａｌ２Ｏ３、Ｓｂ２ＳｎＯ５、Ｂｉ２Ｏ３又はＣｅＯ２等であってもよい。
【００２４】
このように構成される照明部材１０は、光入射面となる樹脂体１１の端面１１ａから光が入射することでグラデーション光を放射することができる照明演出部材として用いることができる。
【００２５】
照明部材１０の光入射面である樹脂体１１の端面１１ａには、光源ユニット２０から出射した光が入射する。光源ユニット２０は、発光ダイオード（ＬＥＤ；Ｌｉｇｈｔ  Ｅｍｉｔｔｉｎｇ  Ｄｉｏｄｅ）によって構成されたＬＥＤモジュール２１と、ＬＥＤモジュール２１を収納する筐体２２とを有する。
【００２６】
ＬＥＤモジュール２１は、照明部材１０に光を供給する光供給源の一例であり、人工光を放射する。本実施の形態において、ＬＥＤモジュール２１は、照明部材１０に白色光を供給する。つまり、ＬＥＤモジュール２１からは白色光が放射される。ＬＥＤモジュール２１から放射した白色光は、照明部材１０の光入射面である樹脂体１１の端面１１ａに入射する。つまり、ＬＥＤモジュール２１と照明部材１０とはエッジライト構造になっている。具体的には、ＬＥＤモジュール２１は、樹脂体１１の端面１１ａに対向して配置されている。
【００２７】
ＬＥＤモジュール２１は、基板２１ａと、基板２１ａに実装された１個又は複数の発光素子２１ｂとを有する。本実施の形態では、複数の発光素子２１ｂが基板２１ａに実装されている。
【００２８】
基板２１ａは、長尺状の基板であり、例えば配線がパターン形成された配線基板である。基板２１ａとしては、樹脂基板、セラミック基板又は絶縁被膜された金属基板等を用いることができる。
【００２９】
発光素子２１ｂは、ＬＥＤによって構成されたＬＥＤ光源である。具体的には、発光素子２１ｂは、白色光を放射する白色ＬＥＤ光源である。発光素子２１ｂは、例えば、個々にパッケージ化された表面実装（ＳＭＤ：Ｓｕｒｆａｃｅ  Ｍｏｕｎｔ  Ｄｅｖｉｃｅ）型のＬＥＤ素子であり、樹脂製等の容器（パッケージ）と、容器内に配置されたＬＥＤチップ（ベアチップ）と、ＬＥＤチップを封止する封止部材とを備える。具体的には、発光素子２１ｂは、白色光を放出するＳＭＤ型の白色ＬＥＤ素子である。この場合、ＬＥＤチップとしては、通電されると青色光を発する青色ＬＥＤチップを用いて、容器に充填される封止部材としては、黄色蛍光体が含有されたシリコーン樹脂（蛍光体含有樹脂）を用いることができる。
【００３０】
本実施の形態では、複数の発光素子２１ｂが基板２１ａの長手方向に沿ってほぼ等間隔で実装されている。また、各発光素子２１ｂは、主発光面が、樹脂体１１の端面１１ａ（光入射面）に対向するように基板２１ａに配置される。
【００３１】
なお、発光素子２１ｂそのものがＬＥＤチップ（ベアチップ）であるＬＥＤ素子であってもよい。この場合、ＬＥＤモジュール２１は、ＬＥＤチップ（発光素子２１ｂ）が基板２１ａに直接実装されたＣＯＢ（Ｃｈｉｐ  Ｏｎ  Ｂｏａｒｄ）構造となる。例えば、基板２１ａとして平板状の実装基板を用いて１個又は複数個のＬＥＤチップ（発光素子２１ｂ）を当該実装基板に実装することによって、ＬＥＤモジュール２１としてＣＯＢ構造のＬＥＤモジュールを構成することができる。また、白色光を放射するＣＯＢ構造のＬＥＤモジュールを用いる場合、例えば、ＬＥＤチップ（発光素子２１ｂ）として青色ＬＥＤチップを用いて、この青色ＬＥＤチップを、黄色蛍光体が含有されたシリコーン樹脂からなる封止部材で封止すればよい。
【００３２】
なお、ＬＥＤモジュール２１は、図示しない、電源ユニットから供給される電力によって光を照射する。電源ユニットは、例えば、複数の回路部品が実装された回路基板からなる電源（電源回路）と電源を収納する筐体とを有する。電源は、電源ユニットが受電した電力を所定の電力に変換して、ＬＥＤモジュール２１（発光素子２１ｂ）に電力を供給する。これにより、ＬＥＤモジュール２１（発光素子２１ｂ）が発光する。
【００３３】
以上説明したように、本実施の形態に係る照明システム１は、板状の樹脂体１１及び樹脂体１１に含まれる複数のナノ粒子１２を有する照明部材１０と、照明部材１０に光を供給する光供給源となる光源ユニット２０とを備えている。そして、樹脂体１１は、光源ユニット２０からの光が一次光として入射する光入射面である樹脂体１１の端面１１ａと、樹脂体１１の光入射面（端面１１ａ）から入射した光が出射する光出射面とを有する。
【００３４】
この構成により、ＬＥＤモジュール２１のみでカラーグラデーションを持つ光を放射させることができるので、空間演出に優れた照明演出システムを実現することができる。また、上記のように、ナノ粒子のレイリー散乱現象を用いているので、自然なカラーグラデーションを有する照明光によって空間演出を行うことができ、従来の照明部材及び従来の照明システムでは得ることができなかった心地よい照明空間を提供することができる。
【００３５】
また、本実施の形態における照明システム１において、光供給源である光源ユニット２０は、人工光を放射する。具体的には、ＬＥＤを用いて人工光を放射させている。これにより、光源ユニット２０から放射する光を容易に調光及び調色することができる。つまり、照明部材１０に入射させる光の調光及び調色を行うことができる。したがって、光源ユニット２０から放射する光を調光又は調色することによって、異なる色調のカラーグラデーションを持つ光を照明部材１０の光出射面から出射させることができるので、高い空間演出効果を得ることができる。
【００３６】
（実施の形態２）
次に、実施の形態２に係る照明システム１Ａについて、図５を用いて説明する。図５は、実施の形態２に係る照明システム１Ａの構成を示す図である。
【００３７】
本実施の形態に係る照明システム１Ａは、上記実施の形態１に係る照明システム１と同様に、照明部材１０Ａと、光源ユニット２０とを備える。
【００３８】
本実施の形態における照明システム１Ａが上記実施の形態１における照明システム１と異なる点は、照明部材１０Ａの構成である。具体的には、本実施の形態における照明部材１０Ａは、上記実施の形態１における照明部材１０と同様に、板状の樹脂体１１内に複数のナノ粒子１２が含まれる構造となっているが、本実施の形態では、複数のナノ粒子１２は、複数のコロイド結晶１３として樹脂体１１に含まれている。複数のコロイド結晶１３の各々は、粒径が揃った複数のナノ粒子１２（コロイド粒子）が周期的に規則正しく配列制御された構成になっている。
【００３９】
複数のコロイド結晶１３を含む樹脂体１１は、次のようにして作製することができる。まず、コロイド結晶プレートを作製し、コロイド結晶プレートを粉砕することで粉末状のコロイド結晶１３を作製する。そして、この粉砕することで得られた粉末状のコロイド結晶１３を、樹脂体１１を構成する樹脂材料に練り込んで成形することで、複数のコロイド結晶１３が含有された樹脂体１１を作製することができる。
【００４０】
以上のように構成される照明部材１０Ａでは、複数のナノ粒子１２がコロイド結晶１３として樹脂体１１に含まれている。これにより、コロイド結晶１３によるブラッグ反射によって特定波長を反射させて出射光の色調を変化させることができるので、樹脂体１１の主面１１ｂからグラデーション光を放射させることができる。したがって、樹脂体１１を着色することなく自然なカラーグラデーションを持つ光を放つことができる照明部材１０Ａを実現できる。また、照明部材１０Ａは、光吸収剤を用いることなく色の変化が付いた光を放射する。したがって、透過率の低下を抑制しつつグラデーション光を放射することができる照明部材１０Ａを実現できる。
【００４１】
また、本実施の形態に係る照明システム１Ａによれば、上記実施の形態１に係る照明システム１と同様に、ＬＥＤモジュール２１のみでカラーグラデーションを持つ光を放射させることができるので、空間演出に優れた照明演出システムを実現することができるとともに、自然なカラーグラデーションを有する照明光によって空間演出を行うことができる。また、光源ユニット２０から放射する光を調光又は調色することで、異なる色調のカラーグラデーションを持つ光を照明部材１０Ａの光出射面から出射させることができるので、高い空間演出効果を得ることができる。
【００４２】
特に、本実施の形態における照明部材１０Ａは、上記のように、複数のナノ粒子１２がコロイド結晶１３として樹脂体１１に含まれている。
【００４３】
配列制御されたナノ粒子１２により構成されるコロイド結晶１３は、光の透過率が高く、上記実施の形態１と比べて、入射光の反射ロス及び散乱ロスを低減することができる。したがって、本実施の形態における照明部材１０Ａは、端面１１ａ（光入射面）から光が入射したときに、光出射面における高い透過率を維持しながらカラーグラデーションを持つ光を放つことができる。例えば、本実施の形態における照明部材１０Ａでは、照明部材１０Ａに入射した光のエネルギーと照明部材１０Ａから出射する光のエネルギーとがほとんど変化しないように構成することができる。つまり、透過率を低下させることなくグラデーション光を放射することができる照明部材１０Ａを実現することができる。しかも、コロイド結晶１３を用いることで、光入射面から入射した光とは異なる色調の光を容易に生成することができる。
【００４４】
また、本実施の形態における照明部材１０Ａ及び照明システム１Ａでは、複数のナノ粒子１２が複数のコロイド結晶１３として樹脂体１１に含まれているので、各コロイド結晶１３内におけるナノ粒子１２の粒子間距離及び粒子サイズを変えることで、所望の特定波長を反射させることができる。したがって、ＬＥＤモジュール２１による調色を行わなくても、光出射面から出射する光の色を容易に変化させることができる。
【００４５】
さらに、本実施の形態における照明部材１０Ａ及び照明システム１Ａによれば、コロイド結晶１３を複合化することによって任意のカラーを持つ出射光を選択することができるとともに自然なカラーグラデーションを持つ照明光を得ることができる。これにより、より心地よい照明空間を提供することが可能となる。
【００４６】
また、本実施の形態における照明部材１０Ａにおいて、複数のコロイド結晶１３は、単結晶体及び多結晶体のいずれであってもよい。この場合、複数のコロイド結晶１３は、単結晶体のみによって構成されていてもよいし、多結晶体のみによって構成されていてもよいし、単結晶体と多結晶体の両方が含まれていてもよい。
【００４７】
多結晶体のコロイド結晶１３は、宝石のオパールのような遊色効果を発現させることができるものの、可視光の全波長域で反射特性を有するので、カラーグラデーションを持つ光が得にくくなる。一方、単結晶体のコロイド結晶１３は、特定の波長を反射する反射特性を有するので、カラーグラデーションを持つ光を容易に得ることができる。
【００４８】
したがって、複数のコロイド結晶１３の少なくとも一つは、単結晶体であるとよい。さらに、複数のコロイド結晶１３は、単結晶体の含有比率が多結晶体の含有比率よりも多い方がよく、より好ましくは、複数のコロイド結晶１３の全てが単結晶体であるとよい。
【００４９】
（実施の形態３）
次に、実施の形態３に係る照明システム１Ｂについて、図６を用いて説明する。図６は、実施の形態３に係る照明システム１Ｂの構成を示す図である。
【００５０】
上記実施の形態１に係る照明システム１おける照明部材１０では、ナノ粒子１２が樹脂体１１内に均一に分散されていたが、本実施の形態に係る照明システム１Ｂおける照明部材１０Ｂでは、複数のナノ粒子１２は、濃度分布を有するように樹脂体１１内に分散している。
【００５１】
この場合、複数のナノ粒子１２の濃度分布は、光入射面となる端面１１ａから離れるほど複数のナノ粒子１２の濃度が高くなっていてもよいし、光入射面となる端面１１ａに近づくほど複数のナノ粒子１２の濃度が高くなっていてもよいが、図６に示すように、光入射面となる端面１１ａから離れるほど複数のナノ粒子１２の濃度が高くなっている方がよい。具体的には、光入射面となる光源ユニット２０側の端面１１ａから当該端面１１ａとは反対側の端面１１ａに向かって複数のナノ粒子１２の濃度が漸次高くなっているとよい。
【００５２】
光入射面となる端面１１ａから遠ざかるほどナノ粒子１２の濃度を高くすることで、光の散乱が多く生じることになる。これにより、光入射面となる端面１１ａから遠ざかる方向に向かって、より大きなグラデーションの光を照射させることができる。
【００５３】
（変形例）
以上、本発明に係る照明部材１０、１０Ａ、１０Ｂ及び照明システム１、１Ａ、１Ｂ等について、実施の形態１〜３に基づいて説明したが、本発明は、上記実施の形態１〜３に限定されるものではない。
【００５４】
例えば、上記実施の形態１〜３では、ＬＥＤモジュール２１の発光素子２１ｂ（発光部）はＬＥＤによって構成されていたが、これに限らない。例えば、ＬＥＤモジュール２１の発光素子２１ｂは、半導体レーザやスーパールミネッセントダイオード等の半導体発光素子、又は、有機ＥＬ（Ｅｌｅｃｔｒｏ  Ｌｕｍｉｎｅｓｃｅｎｃｅ）や無機ＥＬ等のＥＬ素子等のＬＥＤ以外の固体発光素子を用いてもよい。また、ＬＥＤモジュール２１として、蛍光ランプや高輝度ランプ等の既存のランプを用いてもよい。
【００５５】
また、上記実施の形態１〜３では、照明部材に光を供給する光供給源として人工光を放射するＬＥＤモジュール２１を用いたが、これに限らない。例えば、照明部材に光を供給する光供給源は、自然光を放射するものであってもよい。具体的には、照明部材に入射する一次光が太陽光等の自然光を取り込んだ光であってもよい。自然光は、幅広い波長域で複数の波長の光を含んでおりかつ平行光である。したがって、自然光を照明部材に入射させることで、より自然なカラーグラデーションを照明部材の光出射面に付与することができる。
【００５６】
また、上記実施の形態１〜３において、光源ユニット２０は、１つであったが、これに限らない。例えば、光源ユニット２０は、２つ以上の複数であってもよい。
【００５７】
また、上記実施の形態１〜３において、樹脂体１１に含まれる複数のナノ粒子１２の少なくとも一つが蛍光体であってもよい。ナノオーダサイズの蛍光体は、光を吸収して異なる波長の光に変換することができる。したがって、複数のナノ粒子１２の少なくとも一つを蛍光体にすることによって、より複雑なカラーグラデーションを持つ光を放つことができる照明部材を実現することができる。したがって、より複雑な空間演出を容易に行うことができる。
【００５８】
その他、上記実施の形態に対して当業者が思いつく各種変形を施して得られる形態や、本発明の趣旨を逸脱しない範囲で上記実施の形態における構成要素及び機能を任意に組み合わせることで実現される形態も本発明に含まれる。
【符号の説明】
【００５９】
１、１Ａ、１Ｂ  照明システム
１０、１０Ａ、１０Ｂ  照明部材
１１  樹脂体
１１ａ  端面
１２  ナノ粒子
１３  コロイド結晶
２１  ＬＥＤモジュール（光供給源）
【図１】
2020177848.tif 000003
【図２】
2020177848.tif 000004
【図３】
2020177848.tif 000005
【図４】
2020177848.tif 000006
【図５】
2020177848.tif 000007
【図６】
2020177848.tif 000008